(57)【特許請求の範囲】
【請求項１】
原子炉格納容器から排出される放射性物質を含有したベント気流を流通させる排気流路と、該排気流路からベント気流を大気中に放出させる排気口とを有する排気筒を備える原子力設備用の排気設備であって、
放射性物質と共に大気中に拡散可能に構成されると共に視認可能に構成された視認物質をベント気流内に供給する視認物質供給手段を備えることを特徴とする原子力設備用の排気設備。
【請求項２】
前記視認物質供給手段は、前記排気流路の外側でベント気流に視認物質を供給可能に構成されることを特徴とする請求項１に記載の原子力設備用の排気設備。
【請求項３】
前記視認物質供給手段は、前記排気流路内に視認物質を供給可能に構成されることを特徴とする請求項１に記載の原子力設備用の排気設備。
【請求項４】
前記視認物質供給手段は、視認物質を放出する視認物質放出部と、該視認物質放出部に向かって視認物質を圧送する圧送気体を加圧状態で収容する圧送気体収容部と、視認物質を貯蔵する視認物質貯蔵部と、圧送気体収容部と視認物質貯蔵部との間の圧送気体の流路を開閉する流路開閉手段とを備え、該流路開閉手段は、前記排気流路内に配置されてベント気流を受けて回転する風車部と、該風車部の回転力によって圧送気体の流路を開く開閉部とを備えることを特徴とする請求項１乃至３の何れか一項に記載の原子力設備用の排気設備。
【請求項５】
前記視認物質供給手段は、前記排気流路内に配置されて視認物質を収容する視認物質収容部材を備え、該視認物質収容部材は、ベント気流との接触によって視認物質を排気流路内に放出可能に構成されることを特徴とする請求項３に記載の原子力設備用の排気設備。
【請求項６】
前記視認物質は、ベント気流に含有される比重の異なる複数の放射性物質のそれぞれに対応した比重を有する複数の粒子群から構成されており、各粒子群は、比重毎に異なる色彩を有するように構成されることを特徴とする請求項１乃至５の何れか一項に記載の原子力設備用の排気設備。
【発明の詳細な説明】
【技術分野】
【０００１】
本発明は、原子炉格納容器のベントを行った際に発生するベント気流を大気中に放出する原子力設備用の排気設備に関する。
【背景技術】
【０００２】
原子力設備では、原子炉格納容器の圧力は、所定値未満に制御されている。しかしながら、原子炉設備の冷却機能が長時間にわたり復旧できない事態が発生し、格納容器の圧力が上昇した場合、格納容器が損傷するのを防止するべく、緊急の減圧手段として格納容器から水蒸気の排出（ベント）が行われる。
【０００３】
ベントによって発生するベント気流は、フィルタ等の通過によってある程度低減できるものの、放射性物質を含有する。このため、ベント気流が排気設備から大気中へ放出されると、放射性物質が周辺環境に拡散される。このため、放射性物質による公衆被曝を最小限にするべく放射性物質の拡散状況を予測し，より多くの人が把握できることが要求される。
【０００４】
放射性物質の拡散状況を予測する方法としては、ベント気流が放出される地域の気象情報や地形情報等のデータをコンピューターを用いて解析し、放射性物質の拡散状況を予測する方法が提案されている（特許文献１および２参照）。そして、これらの方法によって得られる予測結果は、予測を行った事業者から端末機器へ配信されたり、テレビやラジオ等で放送されたりすることで、全国的に把握することが可能となる。
【先行技術文献】
【特許文献】
【０００５】
【特許文献１】特開２００７−０５１８７６号公報
【特許文献２】特開２００５−２８３２０２号公報
【発明の概要】
【発明が解決しようとする課題】
【０００６】
しかしながら、上記のような方法では、コンピューターを用いた解析に時間を要すると共に、予測結果の配信や放送にも時間を要する。また、端末機器、テレビやラジオ等を所持していない状況では、予測結果を把握することができない。また、電力の供給が喪失している状況では、種々のデータ解析を行うコンピューターや予測結果を配信や放送等する設備あるいは受信設備を起動させることができないため、放射性物質の拡散状況を予測して、迅速に周知することができない。このため、上記のような方法では、放射性物質の拡散状況をベント気流が大気中へ放出された直後から迅速に且つ確実に把握することができず、放射性物質を避けての避難活動を適切に行うことが困難となっている。
【０００７】
そこで、本発明は、放射性物質の拡散状況をベント気流が大気中へ放出された直後から迅速に且つ確実に把握することができる原子力設備用の排気設備を提供することを課題とする。
【課題を解決するための手段】
【０００８】
本発明に係る原子力設備用の排気設備は、原子炉格納容器から排出される放射性物質を含有したベント気流を流通させる排気流路と、該排気流路からベント気流を大気中に放出させる排気口とを有する排気筒を備える原子力設備用の排気設備であって、放射性物質と共に大気中に拡散可能に構成されると共に視認可能に構成された視認物質をベント気流に供給する視認物質供給手段を備えることを特徴とする。
【０００９】
斯かる構成によれば、原子炉設備の冷却機能が長時間にわたり復旧できない事態が発生し、緊急の減圧手段として原子炉格納容器のベントが行われた際に、視認物質供給手段からベント気流に視認物質が供給され、ベント気流と共に視認物質が大気中に拡散される。この際、視認物質を目視にて確認することができるため、視認物質の拡散状況（方向や広がり）を容易に把握することができる。斯かる視認物質の拡散状況は、放射性物質の拡散状況に対応するため、視認物質の拡散状況を把握することで、放射性物質の拡散状況をベント気流が大気中へ放出された直後から迅速に且つ確実に把握することができる。これにより、放射性物質を避けての避難活動を適切に行うことができる。
【００１０】
前記視認物質供給手段は、前記排気流路の外側でベント気流に視認物質を供給可能に構成されることが好ましい。
【００１１】
斯かる構成によれば、排気流路の外側でベント気流に視認物質が供給されるため、視認物質がベント気流の影響（例えば、温度や圧力の影響）によって、物理的、化学的に変性し、視認し難くなったり、拡散し難くなったりするのを防止することができる。
【００１２】
具体的には、ベント気流は、通常、水蒸気を含有した高温高圧の気流であるため、排気流路を流通する際にも高温高圧の状態が維持される場合がある。しかしながら、ベント気流が大気中に放出されることで、ベント気流の温度や圧力は、排気流路の内側よりも低下する。このため、排気流路の外側でベント気流に視認物質を供給することで、視認物質がベント気流の影響によって変性し、視認し難くなったり、拡散し難くなったりするのを防止することができる。
【００１３】
前記視認物質供給手段は、前記排気流路内に視認物質を供給可能に構成されることが好ましい。
【００１４】
斯かる構成によれば、排気流路内でベント気流に視認物質が供給され、ベント気流と共に視認物質が大気中に放出される。具体的には、ベント気流は、比較的速い速度で排気流路から放出されるため、排気流路の外側の位置では、視認物質がベント気流に押されてしまい、視認物質をベント気流に供給することが困難となる場合がある。これに対し、排気流路内に視認物質が供給されることで、ベント気流に視認物質が確実に供給され、ベント気流と共に視認物質が大気中に放出される。これにより、放射性物質の拡散状況をベント気流が大気中へ放出された直後から迅速に且つ確実に把握することができる。
【００１５】
前記視認物質供給手段は、視認物質を放出する視認物質放出部と、該視認物質放出部に向かって視認物質を圧送する圧送気体を加圧状態で収容する圧送気体収容部と、視認物質を貯蔵する視認物質貯蔵部と、圧送気体収容部と視認物質貯蔵部との間の圧送気体の流路を開閉する流路開閉手段とを備え、該流路開閉手段は、前記排気流路内に配置されてベント気流を受けて回転する風車部と、該風車部の回転力によって圧送気体の流路を開く開閉部とを備えることが好ましい。
【００１６】
斯かる構成によれば、排気流路をベント気流が流通した際に、ベント気流を受けて風車部が回転することで回転力が生じ、斯かる回転力によって開閉部が圧送気体収容部と視認物質貯蔵部との間の圧送気体の流路を開く。これにより、圧送気体収容部から視認物質貯蔵部に圧送気体が供給され、視認物質が圧送気体によって視認物質放出部に圧送される。そして、視認物質が視認物質放出部から放出されてベント気流に供給される。つまり、流路開閉手段の風車部の回転力による機械的な作用によって視認物質がベント気流に供給されるため、電力が得られない状況であっても、視認物質をベント気流に確実に供給することができる。
【００１７】
前記視認物質供給手段は、前記排気流路内に配置されて視認物質を収容する視認物質収容部材を備え、該視認物質収容部材は、ベント気流との接触によって視認物質を排気流路内に放出可能に構成されることが好ましい。
【００１８】
斯かる構成によれば、視認物質収容部材によって視認物質が排気流路内に収容されており、視認物質収容部材とベント気流との接触によって、視認物質が排気流路内に放出されるため、簡易な構成の視認物質供給手段で視認物質をベント気流に供給することができる。また、視認物質収容部材を排気流路内に配置することで、排気筒に視認物質供給手段を設置することができるため、既存の排気筒に対しても視認物質供給手段を容易に設置することができる。
【００１９】
前記視認物質は、ベント気流に含有される比重の異なる複数の放射性物質のそれぞれに対応した比重を有する複数の粒子群から構成されており、各粒子群は、比重毎に異なる色彩を有するように構成されることが好ましい。
【００２０】
斯かる構成によれば、比重の異なる複数の放射性物質のそれぞれに対応した比重を有する複数の粒子群から視認物質が構成されることで、放射性物質毎の拡散状況を容易に把握することができる。具体的には、放射性物質の拡散距離は、放射性物質の比重毎に異なるため、各粒子群も対応した比重の放射性物質と同様の拡散距離となる。そして、各粒子群が異なる色彩を有することで、粒子群毎の拡散距離を容易に把握することができる。これにより、各粒子群に対応した比重の放射性物質の拡散距離を容易に把握することができる。
【発明の効果】
【００２１】
以上のように、本発明によれば、放射性物質の拡散状況をベント気流が大気中へ放出された直後から迅速に且つ確実に把握することができる。
【図面の簡単な説明】
【００２２】
【図１】第一実施形態に係る原子力設備用の排気設備の断面斜視図と、その一部を拡大した断面斜視図。
【図２】第二実施形態に係る原子力設備用の排気設備の断面斜視図と、その一部を拡大した断面斜視図。
【発明を実施するための形態】
【００２３】
本発明は、原子力設備用の排気設備に関するもので、原子炉格納容器（以下、格納容器と記す）のベントが行われた際に発生するベント気流を大気中に放出するものである。格納容器のベントは、原子炉設備の冷却機能が長時間にわたり復旧できない事態（地震や火災による長期停電等）が発生し、格納容器の圧力が上昇した際に，緊急の減圧手段として行われるものである。このため、ベント気流も非常時に発生する可能性があるのみで、平時においては発生することがない。従って、以下の実施形態に係る排気設備は、非常時にのみ機能し、平時においては機能することがない。なお、本発明に係る排気設備は、原子力発電設備の他、原子力研究所、原子力潜水艦、原子力空母等の原子力設備からの放射性物質の拡散状況を把握する目的にも使用される。
【００２４】
＜第１実施形態＞
以下、本発明の第一実施形態について、図１を参照しながら説明する。なお、以下の図面において同一または相当する部分には同一の参照符号を付しその説明は繰り返さない。
【００２５】
本実施形態に係る原子力設備用の排気設備（以下、排気設備とも記す）１は、格納容器（図示せず）のベントが行われた際に発生するベント気流を大気中に放出するものである。具体的には、排気設備１は、放射性物質を含有するベント気流を大気中に放出する排気筒２と、目視にて認識可能に構成された視認物質をベント気流に供給する視認物質供給手段３とを備える。更に、排気設備１は、格納容器と、排気筒２とを流体的に連結してベント気流を排気筒２内に流入させる連結部４を備える。
【００２６】
前記排気筒２は、ベント気流を流通させる排気流路２Ｒと、該排気流路２Ｒから大気中にベント気流を放出可能に構成される排気口２ａと、排気流路２Ｒにベント気流を流入させる流入口２ｂとを備える。一般的に、排気口２ａは、上方に向かって開放するように排気筒２の上端部に形成されており、流入口２ｂは、排気筒２の下端部に形成される。ベント気流は、排気筒２の格納容器側から排気流路２Ｒに流入し、排気流路２Ｒを流通して、排気筒２の排気口２ａから大気中に放出される。
【００２７】
前記視認物質供給手段３は、排気流路２Ｒの外側でベント気流に視認物質を供給可能に構成される。具体的には、視認物質供給手段３は、視認物質を放出する視認物質放出部３ａと、該視認物質放出部３ａに向かって視認物質を圧送する圧送気体を収容する圧送気体収容部３ｂと、視認物質を貯蔵する視認物質貯蔵部３ｃと、圧送気体収容部３ｂと視認物質貯蔵部３ｃとの間の圧送気体の流路を開閉する流路開閉手段３ｄとを備える。
【００２８】
視認物質放出部３ａは、視認物質が圧送される視認物質圧送管３ｅの一端部に（具体的には、開口部を有する一端部によって）形成される。該視認物質圧送管３ｅは、一端部に視認物質放出部３ａが形成されると共に、他端部に視認物質貯蔵部３ｃが連結される。そして、視認物質圧送管３ｅの一端部が排気筒２の排気口２ａの近傍に配置される。これにより、視認物質放出部３ａは、排気流路２Ｒの外側（具体的には、排気口２ａの近傍）でベント気流に対して視認物質を放出可能に構成される。
【００２９】
前記圧送気体収容部３ｂは、視認物質貯蔵部３ｃに圧送気体を供給すると共に、視認物質貯蔵部３ｃから視認物質放出部３ａまで視認物質を圧送可能に構成される。具体的には、圧送気体収容部３ｂは、視認物質貯蔵部３ｃと配管（以下、圧送気体供給管とも記す）３ｆを介して流体的に連結される。そして、圧送気体収容部３ｂは、視認物質貯蔵部３ｃとの間の流路（即ち、圧送気体供給管３ｆの流路であり、以下では、圧送気体供給流路とも記す）を介して視認物質貯蔵部３ｃに圧送気体を供給するように構成される。具体的には、圧送気体収容部３ｂでは、圧送気体が加圧状態で収容されており、圧送気体供給流路（圧送気体供給管３ｆの流路）が開かれることで、視認物質貯蔵部３ｃ側に向かって圧送気体を放出するように構成される。
【００３０】
また、圧送気体収容部３ｂでは、排気口２ａから放出されるベント気流の風圧よりも強い風圧で視認物質を視認物質放出部３ａから放出可能となるように圧送気体が加圧されることが好ましい。これにより、ベント気流の風圧によって視認物質がベント気流内に供給され難くなるのを抑制することができ、ベント気流への視認物質の供給を効果的に行うことができる。
【００３１】
前記視認物質貯蔵部３ｃは、圧送気体収容部３ｂと圧送気体供給管３ｆを介して流体的に連結される。そして、視認物質貯蔵部３ｃは、圧送気体収容部３ｂとの間の流路（即ち、圧送気体供給流路）を介して供給される圧送気体と共に視認物質を視認物質放出部３ａ側（具体的には、視認物質圧送管３ｅの流路）に放出可能に構成される。
【００３２】
ここで、視認物質について説明する。視認物質は、ベント気流に含有される放射性物質と共に大気中に拡散可能に構成される。視認物質の形態としては、特に限定されるものではないが、複数の粒子から構成されることが好ましい。斯かる粒子の大きさとしては、特に限定されるものではなく、例えば、粒径が１ｍｍ以上５０ｍｍ以下であることが好ましく、５ｍｍ以上１０ｍｍ以下であることがより好ましい。なお、粒径とは、視認物質の最長の直径をいう。
【００３３】
視認物質を構成する粒子は、内部が均質なものであってもよく、内部に空隙を備えるものであってもよい。粒子の内部に空隙が形成される場合には、斯かる空隙に、空気よりも軽い気体（水素やヘリウム等）が充填されてもよい。このように、空気よりも軽い気体が充填されることで、粒子の比重を調節することができるため、放射性物質の比重に対応した比重の視認物質を形成することができる。なお、斯かる空隙は、視認物質を構成する粒子の見かけ体積に対して所定の体積であれば、粒子内に分散して存在しても良く、粒子の中央部に存在してもよい。
【００３４】
視認物質（具体的には、視認物質を構成する各粒子）の比重としては、特に限定されるものではないが、ベント気流に含有される放射性物質の比重に対応した比重であることが好ましい。具体的には、視認物質の比重としては、放射性物質の比重に対して、９０％以上１１０％以下であることが好ましい。また、視認物質は、ベント気流に含有される比重の異なる複数の放射性物質のそれぞれに対応した比重を有する複数の粒子群から構成されることが好ましい。そして、各粒子群は、比重毎に異なる色彩を有するように構成されることが好ましい。
【００３５】
前記流路開閉手段３ｄは、排気流路２Ｒをベント気流が流通した際に、圧送気体供給流路（具体的には、圧送気体供給管３ｆの流路）を開くように構成される。つまり、流路開閉手段３ｄは、排気流路２Ｒをベント気流が流通していない状態では、圧送気体供給流路（具体的には、圧送気体供給管３ｆの流路）を閉じた状態にし、排気流路２Ｒをベント気流が流通することで、圧送気体供給流路（具体的には、圧送気体供給管３ｆの流路）を開くように構成される。
【００３６】
流路開閉手段３ｄは、圧送気体供給流路（具体的には、圧送気体供給管３ｆの流路）を開閉する開閉部３ｇと、ベント気流との接触によって回転する風車部３ｈと、該風車部３ｈの回転力を開閉部３ｇへ伝達する伝達部３ｉとを備える。そして、開閉部３ｇと伝達部３ｉとが軸部材３ｊを介して連結され、風車部３ｈと伝達部３ｉとが軸部材３ｋを介して連結されることで、風車部３ｈの回転力（トルク）が伝達部３ｉを介して開閉部へ伝達される。
【００３７】
開閉部３ｇは、圧送気体供給流路（具体的には、圧送気体供給管３ｆの流路）を開閉する開閉機構を有するバルブ本体３ｍと、軸を中心に回転することでバルブ本体３ｍの開閉機構を機能させる開閉操作部３ｎとを備える。また、開閉部３ｇ（具体的には、バルブ本体３ｍの開閉機構）は、伝達部３ｉと連結する軸部材３ｊの回転、又は、開閉操作部３ｎの回転によって圧送気体供給流路（具体的には、圧送気体供給管３ｆの流路）を開閉するように構成される。
【００３８】
前記風車部３ｈは、排気流路２Ｒ内に配置され、ベント気流との接触によって回転可能な状態で風車部３ｈを収容する収容部３ｐに収容される。風車部３ｈは、軸部材３ｋと連結される風車部基部３ｑと、該風車部基部３ｑから延出する複数の羽根部３ｒとを備える。前記軸部材３ｋは、一端部が風車部３ｈ（具体的には、風車部基部３ｑ）に連結されると共に、他端部が伝達部３ｉに連結され、風車部３ｈの回転を伝達部３ｉに伝えるように構成される。
【００３９】
前記収容部３ｐは、排気流路２Ｒを形成する壁面から延出する一対の延出壁３ｓを備え、該一対の延出壁３ｓの間に風車部３ｈが収容される。そして、一対の延出壁３ｓにおける延出方向の先端部同士の間から風車部３ｈにおける羽根部３ｒの先端部が排気流路２Ｒ内に露出するように構成される。具体的には、一方の延出壁３ｓは、風車部３ｈよりもベント気流の上流側に配置されて、風車部３ｈをベント気流の上流側から（本実施形態では、下方から）覆うように形成されると共に、延出方向の先端部よりも排気流路２Ｒの内側に風車部３ｈにおける羽根部３ｒの先端部が位置するように構成される。
【００４０】
前記伝達部３ｉは、開閉部３ｇ（具体的には、バルブ本体３ｍ）、および、風車部３ｈに軸部材３ｊ，３ｋを介して連結される。また、伝達部３ｉは、風車部３ｈの回転によって軸部材３ｋが回転することで、軸部材３ｊが回転するように構成される。本実施形態では、伝達部３ｉは、軸部材３ｋの回転方向（即ち、風車部３ｈの回転方向）を軸部材３ｊの回転方向に変換するように構成される。また、伝達部３ｉは、軸部材３ｋ（風車部３ｈ）の回転力（トルク）よりも強い回転力で軸部材３ｊを回転させるように構成される。つまり、伝達部３ｉとしては、減速機を用いることが好ましい。
【００４１】
前記連結部４は、格納容器と、排気筒２との間に配置され、ベント気流を流通させる流路（以下、連結流路とも記す）４Ｒを備える。そして、連結部４は、排気筒２の流入口２ｂを介して排気流路２Ｒと連結流路４Ｒとが連通するように構成される。
【００４２】
上記のように構成される排気設備１では、ベント気流が発生した際には、連結流路４Ｒから流入口２ｂを経て排気流路２Ｒにベント気流が流入する。該ベント気流は、連結流路４Ｒおよび排気流路２Ｒ内を排気口２ａ側に向かって流通する。この際、風車部３ｈにベント気流が接触し、風車部３ｈを回転させる。そして、風車部３ｈが回転することで発生した回転力（トルク）は、軸部材３ｋを介して伝達部（具体的には、減速機）３ｉに伝わり、軸部材３ｊを回転させる。これにより、バルブ本体３ｍの開閉機構が圧送気体供給流路（具体的には、圧送気体供給管３ｆの流路）を閉じた状態から開いた状態にする。
【００４３】
このように、圧送気体供給流路（具体的には、圧送気体供給管３ｆの流路）が開かれた状態になることで、圧送気体収容部３ｂから圧送気体が視認物質貯蔵部３ｃに供給され、視認物質が視認物質貯蔵部３ｃから視認物質放出部３ａに圧送される。そして、圧送された視認物質は、視認物質放出部３ａから放出されて排気筒２の排気口２ａから放出されるベント気流に供給される。これにより、視認物質がベント気流と共に大気中に拡散されるため、視認物質の拡散状況が目視にて確認され、放射性物質の拡散状況を把握することができる。
【００４４】
以上のように、第一実施形態に係る排気設備１では、原子炉設備の冷却機能が長時間にわたり復旧できない事態が発生し、格納容器のベントが行われた際に、視認物質供給手段３からベント気流に視認物質が供給され、ベント気流と共に視認物質が大気中に拡散される。この際、視認物質を目視にて確認することができるため、視認物質の拡散状況（方向や広がり）を容易に把握することができる。そして、視認物質の拡散状況は、ベント気流の拡散による放射性物質の拡散状況に対応するため、視認物質の拡散状況を把握することで、放射性物質の拡散状況をベント気流が大気中へ放出された直後から迅速に且つ確実に把握することができる。これにより、放射性物質を避けての避難活動を適切に行うことができる。
【００４５】
また、排気流路２Ｒの外側でベント気流に視認物質が供給されるため、視認物質がベント気流の影響（例えば、温度や圧力の影響）によって、物理的、化学的に変性し、視認し難くなったり、拡散し難くなったりするのを防止することができる。
【００４６】
具体的には、ベント気流は、通常、水蒸気を含有した高温高圧の気流であるため、排気流路２Ｒを流通する際にも高温高圧の状態が維持される場合がある。しかしながら、ベント気流が大気中に放出されることで、ベント気流の温度および圧力は、排気流路２Ｒの内側よりも低下する。このため、排気流路２Ｒの外側からベント気流に視認物質を供給することで、視認物質がベント気流の影響によって変性し、視認し難くなったり、拡散し難くなったりするのを防止することができる。
【００４７】
また、排気流路２Ｒをベント気流が流通した際に、ベント気流を受けて流路開閉手段３ｄの風車部３ｈが回転することで回転力が生じ、斯かる回転力によって開閉部３ｇが圧送気体供給路（具体的には、圧送気体供給管３ｆの流路）を開く。これにより、圧送気体収容部３ｂから視認物質貯蔵部３ｃに圧送気体が供給され、視認物質が圧送気体によって視認物質放出部３ａに圧送される。そして、視認物質が視認物質放出部３ａから放出されてベント気流に供給される。つまり、流路開閉手段３ｄの風車部３ｈの回転力による機械的な作用によって視認物質がベント気流に供給されるため、電力が得られない状況であっても、視認物質をベント気流に確実に供給することができる。
【００４８】
また、比重の異なる複数の放射性物質のそれぞれに対応した比重を有する複数の粒子群から視認物質が構成されることで、放射性物質毎の拡散状況を容易に把握することができる。具体的には、放射性物質の拡散距離は、放射性物質の比重毎に異なるため、各粒子群も対応した比重の放射性物質と同様の拡散距離となる。そして、各粒子群が異なる色彩を有することで、粒子群毎の拡散距離を容易に把握することができるため、各粒子群に対応した比重の放射性物質の拡散距離を容易に把握することができる。
【００４９】
＜第二実施形態＞
次に、本発明の第二実施形態について、図２を用いて説明する。第二実施形態に係る原子力設備用の排気設備１０は、第一実施形態に係る排気設備１と比較すると、主に、視認物質供給手段３０の構成が異なる。従って、以下では、第一実施形態と異なる点を中心に説明し、同一の構成に対しては同一の符号を付すこととして説明を省略する。
【００５０】
排気設備１０における視認物質供給手段３０は、排気流路２Ｒに視認物質を供給可能に構成される。具体的には、視認物質供給手段３０は、視認物質を収容する視認物質収容部材３０ａから構成される。該視認物質収容部材３０ａは、排気流路２Ｒ内に配置され、ベント気流との接触によって、視認物質を排気流路２Ｒ内に放出可能に構成される。
【００５１】
具体的には、視認物質収容部材３０ａは、視認物質を収容する収容空間３０Ｒを備え、該収容空間３０Ｒが排気流路２Ｒの略中央部に（具体的には、ベント気流の流通方向に交差する断面の全域に亘って）位置するように配置される。本実施形態では、視認物質収容部材３０ａは、収容空間３０Ｒが形成されるように袋状に形成され、収容空間３０Ｒに視認物質を収容した状態で、排気流路２Ｒを形成する排気筒２の壁面に取り付けられる。視認物質収容部材３０ａを構成する素材としては、特に限定されるものではないが、例えば、視認物質の粒子が通過しない大きさの網目を有する網状の素材、不織布等の布素材又は樹脂フィルム等が挙げられる。ベント気流との接触による視認物質収容部材３０ａの破断は、ベント気流の風圧による物理的な破断であったり、ベント気流の熱による溶断であったりしてもよい。
【００５２】
上記のような視認物質供給手段３０を備える排気設備１０では、排気流路２Ｒを排気口２ａ側に向かって流通するベント気流が視認物質収容部材３０ａと接触することで、視認物質収容部材３０ａが破断する。これにより、収容空間３０Ｒから視認物質が放出され、排気流路２Ｒ内で視認物質がベント気流に供給される。これにより、視認物質がベント気流と共に大気中に放出されて拡散されるため、視認物質の拡散状況が目視にて把握されるため、放射性物質の拡散状況を把握することができる。
【００５３】
以上のように、第二実施形態に係る排気設備１０では、排気流路２Ｒ内でベント気流に視認物質が供給され、ベント気流と共に視認物質が確実に大気中に放出される。具体的には、ベント気流は、比較的速い速度で排気流路２Ｒから放出されるため、排気流路２Ｒの外側の位置では、外的要因による放出の恐れがあり、視認物質をベント放出時のみにベント気流に供給することが困難となる場合がある。これに対し、排気流路２Ｒ内に視認物質が供給されることで、ベント気流に視認物質が確実に供給され、ベント気流と共に視認物質が大気中に放出される。これにより、放射性物質の拡散状況をベント気流が大気中へ放出された直後から迅速、且つ、確実に把握することができる。
【００５４】
また、視認物質収容部材３０ａによって視認物質が排気流路２Ｒに収容されており、視認物質収容部材３０ａとベント気流との接触によって、視認物質が排気流路２Ｒに放出されるため、簡易な構成の視認物質供給手段３０で視認物質をベント気流に供給することができる。また、視認物質収容部材３０ａを排気流路２Ｒに配置することで排気設備１０の排気筒２に視認物質供給手段３０を設置することができるため、既存の排気設備の排気筒２に対しても視認物質供給手段３０を容易に設置することができる。
【００５５】
なお、本発明に係る原子力設備用の排気設備は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００５６】
例えば、上記第一実施形態では、視認物質放出部３ａが排気流路２Ｒの外側に配置されると共に、排気口２ａの近傍に配置されているが、これに限定されるものではなく、視認物質放出部３ａが排気流路２Ｒ内に配置されてもよい。これにより、視認物質放出部３ａがベント気流の内側に位置するため、視認物質放出部３ａから放出される視認物質がベント気流内に供給され易くなる。
【００５７】
また、上記第一実施形態では、視認物質放出部３ａが排気流路２Ｒの外側に配置されると共に、排気口２ａの近傍に配置されているが、これに限定されるものではなく、視認物質放出部が排気口２ａを包囲するように環状に形成され、排気口２ａの中央部に向かって複数箇所から視認物質が放出されるように構成されてもよい。
【００５８】
上記各実施形態では、排気筒２の排気口２ａから放出された直後のベント気流、および、排気流路２Ｒのベント気流に視認物質が供給されるように構成されているが、これに限定されるものではなく、例えば、第一実施形態の視認物質放出部３ａが連結流路４Ｒに配置されたり、第二実施形態で使用する視認物質収容部材３０ａが連結流路４Ｒに設置されたりすることで、連結流路４Ｒでベント気流に視認物質が供給されてもよい。
【００５９】
また、第一実施形態では、風車部３ｈと開閉部３ｇとが伝達部３ｉを介して連結されているが、これに限定されるものではなく、風車部３ｈと開閉部３ｇとが軸部材を介して連結され、風車部３ｈの回転力が、直接、開閉部３ｇの開閉機構に伝達されるように構成してもよい。
【００６０】
また、第一実施形態では、風車部３ｈと収容部３ｐとが排気流路２Ｒに配置されているが、これに限定されるものではなく、例えば、風車部３ｈと収容部３ｐとが連結流路４Ｒに配置されてもよい。
【００６１】
また、上記第二実施形態では、視認物質収容部材３０ａが排気流路２Ｒに設置されているが、これに限定されるものではなく、例えば、視認物質収容部材３０ａが排気口２ａを覆うように設置されてもよい。
【００６２】
以上のように、本発明に係る原子力設備用の排気設備によれば、ベント気流が大気中へ放出された直後から放射性物質の拡散状況を迅速に且つ確実に把握することができる。
【符号の説明】
【００６３】
１，１０…排気設備、２…排気筒、２Ｒ…排気流路、２ａ…排気口、２ｂ…流入口、３，３０…視認物質供給手段、３ａ…視認物質放出部、３ｂ…圧送気体収容部、３ｃ…視認物質貯蔵部、３ｄ…流路開閉手段、３ｅ…視認物質圧送管、３ｆ…圧送気体供給管、３ｇ…開閉部、３ｈ…風車部、３ｉ…伝達部、３ｊ，３ｋ…軸部材、３ｍ…バルブ本体、３ｎ…開閉操作部、３ｐ…収容部、３ｑ…風車部基部、３ｒ…羽根部、３ｓ…延出壁、４…連結部、４Ｒ…連結流路、３０ａ…視認物質収容部材、３０Ｒ…収容空間
【要約】
【課題】ベント気流の放出直後から放射性物質の拡散状況を迅速に且つ確実に把握することができる原子力設備用の排気設備を提供することを課題とする。
【解決手段】原子炉格納容器から排出される放射性物質を含有したベント気流を流通させる排気流路と、該排気流路からベント気流を大気中に放出させる排気口とを有する排気筒を備える原子力設備用の排気設備であって、放射性物質と共に大気中に拡散可能に構成されると共に視認可能に構成された視認物質をベント気流内に供給する視認物質供給手段を備えることを特徴とする。
【選択図】図１【図１】
0005578589.tif 000002
【図２】
0005578589.tif 000003